(57)【要約】【課題】用紙を手折りによって折り畳む場合、その折り幅は、幅が不揃いになったり、曲がったりして、きれいに折り畳めないといった不具合がある。【解決手段】紙折り補助具用いて用紙を折り畳む際に、紙折り補助具の一方の端縁を直線に成形するとともに、この直線端縁からの距離が所定の折り幅と略等しい２点間を前記直線端縁の方向に凸状の抜き溝で接続し、紙折り補助具の底面と凸状の抜き溝で囲まれた舌状部の上面との間に用紙の端縁を挟み込み、用紙の端縁を凸状の抜き溝の両端に当てるとともに、用紙が紙折り補助具の直線端縁からのはみ出し部を、紙折り補助具の直線端縁に沿わせて１８０度折り返えして、所定の折り幅に用紙を折り畳むことを特徴とする。【選択図】図１
2013056769.tif 000002
【特許請求の範囲】
【請求項１】
用紙を折り畳む際に用いられる紙折り補助具において、前記紙折り補助具の一方の端縁を直線に成形するとともに、前記直線端縁からの距離が所定の折り幅と略等しい少なくとも２点間を前記直線端縁の方向に凸状の抜き溝で接続したことを特徴とする紙折り補助具。
【請求項２】
前記紙折り補助具の表面と前記抜き溝の内側に形成された舌状部の表面との間に角度を付けたことを特徴とする請求項１に記載の用紙の紙折り補助具。
【請求項３】
用紙を折り畳む際に、用いる請求項１及び請求項２の紙折り補助具において、前記紙折り補助具の底面と前記舌状部の上面の間に前記用紙の端縁を挟み込み、前記用紙の端縁を凸状の抜き溝の両端に当てるとともに、前記用紙が前記紙折り補助具の前記直線端縁からのはみ出し部を、前記紙折り補助具の前記端縁に沿わせて１８０度折り返えして、所定の折り幅に用紙を折り畳む方法。さらに、前記用紙を前記紙折り補助具から抜き取り先に前記用紙を１８０度折り畳んだ側の端縁を再び前記紙折り補助具の底面と前記舌状部の上面の間に挟み込み、凸状の抜き溝の両端に当てて直線端縁よりのはみ出し部を前記紙折り補助具の前記直線端縁に沿わせて１８０度折り返し畳む。この作業を繰り返えすことにより、紙折り補助具を用いて用紙を所定の折り幅に複数回折り畳む方法。
【発明の詳細な説明】
【技術分野】
【０００１】  本発明は、用紙を所定の寸法に手折りするための紙折り補助具に関する。
【背景技術】
【０００２】  従来、便せん等の用紙を封筒等に入れる際に、用紙を折り畳んで封筒等の幅に合わせることが行われている。又、紙折り補助具を用いるものにあっては、下記特許文献のような数々の考案がなされている。【０００３】
【先行技術文献】
【特許文献】
【０００４】
【特許文献１】特開２００１−１３８６９１
【０００５】
【特許文献２】特開平１０−１２９９２５
【０００６】
【特許文献３】特開平１１−１４７６６８
【発明の概要】
【発明が解決しようとする課題】
【０００７】  用紙を手折りによって所定の寸法に折り畳む場合、その折り幅は、作業者が目分量で設定していることから、幅が不揃いになったり曲がったりして、きれいに折り畳めないといった不具合や、折り畳んだ状態によっては、封筒へ挿入しづらいこともある。【０００８】  又、上記特許文献の紙折り補助具にあっては、専ら三つ折り補助具であり、それ以上の回数折りには対応できない不具合がある。
【課題を解決するための手段】
【０００９】  前述した不具合を解決するために、本発明の第１の手段による紙折り補助具にあっては、前記紙折り補助具の一方の端縁を直線に成形するとともに、前記直線端縁からの距離が所定の折り幅と略等しい少なくとも２点間を前記直線端縁の方向に凸状の抜き溝で接続したことを特徴とする。【００１０】  本発明の第２の手段による紙折り補助具にあっては、第１の手段による紙折り補助具の前記抜き溝の内側に形成された舌状部と前記紙折り補助具の表面との間に角度を付けたことを特徴とする。【００１１】  本発明の第３の手段による紙折り方法にあっては、本発明の第１及び第２の手段による紙折り補助具において、前記紙折り補助具の底面と前記舌状部の上面の間に前記用紙の端縁を挟み込み、前記用紙の端縁を凸状の抜き溝の両端に当てるとともに前記用紙が前記紙折り補助具の前記直線端縁からのはみ出し部を、前記紙折り補助具の前記直線端縁に沿わせて１８０度折り返して畳む。さらに、前記用紙を前記紙折り補助具から抜き取り、上記により前記用紙の１８０度折り畳んだ側の端縁を再び前記紙折り補助具の底面と前記舌状部の上面の間に挟み込み、凸状の抜き溝の両端に当てるとともに前記用紙の前記紙折り補助具の前記直線端縁からのはみ出し部を前記紙折り補助具の前記直線端縁に沿わせて１８０度折り返し畳む。この作業を操り返えすことにより、所定の折り幅に用紙を複数回折り畳むことを特徴とする。【００１２】  上記第１の課題解決手段による作用は、次の通りである。前記紙折り補助具の底面と前記舌状部の上面の間に前記用紙の端縁を挟み込む際、前記用紙の端縁を凸状の抜き溝の両端に当てるとともに、前記用紙が前記紙折り補助具の前記直線端縁からのはみ出し部を前記紙折り補助具の前記直線端縁に沿わせて１８０度折り返して畳むことにより、前記用紙を所定の幅に折り畳むことができる。【００１３】  上記第２の課題解決手段による作用は、次の通りである。本発明紙折り補助具にあっては、第１の手段による紙折り補助具に記載の前記抜き溝の内側に形成された舌状部と前記紙折り補助具の表面との間に角度を付けたので、前記舌状部上面と前記紙折り補助具の下面との間に用紙を差し込み易くなる。【００１４】  上記第３の課題解決手段による作用は、次の通りである。本発明の第１及び第２の手段による紙折り補助具を用いた用紙の折り畳み方法で、用紙の端縁を凸状の溝の両端に当てるとともに前記用紙が前記紙折り補助具の前記直線端縁からのはみ出し部を、前記直線端縁に沿わせて１８０度折り返して畳むことにより、用紙を一定の幅に折り畳むことができる。【００１５】  さらに、前記用紙を前記紙折り補助具から抜き取り先に前記用紙の１８０度折り畳んだ側の端縁を再び前記紙折り補助具の底面と前記舌状部の上面の間に挟み込み、凸状の抜き溝の両端に当てるとともに、前記用紙のはみ出し部を前記紙折り補助具の前記直線端縁に沿わせて１８０度折り返し畳む。この作業を操り返えすことにより、所定の折り幅に用紙を複数回一定の幅に折り畳むことができる。
【発明の効果】
【００１６】  本発明は、以上のように構成されているので折り畳まれる用紙は、前記紙折り補助具の底面と前記舌状部の上面の間に挟み込み、凸状の抜き溝の両端に当て紙折り補助具の直線端縁に沿わせて１８０度折り返すことによって、常に一定した幅での折り畳みが可能となる効果を有する。【００１７】  又、前記紙折り補助具の表面と前記舌状部との間に角度をつけたことにより前記紙折り補助具の底面と前記舌状部の上面の間に用紙が差し込みやすくなる効果を有する。【００１８】  さらに、前記用紙の折り曲げた側を再び凸状の抜き溝の両端に当てて、前記用紙のはみ出し部を前記補助具の前記直線端縁に沿わせて１８０度折り返すことによって、複数回一定した幅で紙の折り畳みが可能となる効果を有する。
【図面の簡単な説明】
【００１９】
【図１】本発明の紙折り補助具の一実施形態を示す平面図
【図２】同図１における紙折り補助具のＡ−Ａ線断面図
【図３】同紙折り補助具に用紙を差し込んだ状態を示す平面図
【図４】同紙折り補助具で用紙を１８０度折り返した状態を示す平面図
【図５】同紙折り補助具で用紙を複数回折り畳む状態を示す側面図
【発明を実施するための形態】
【００２０】  以下、本発明の一実施形態を図１〜図５に基づいて説明する。
【００２１】  図１において１は本発明の紙折り補助具で、直線端縁５から所定折り幅に略相当する長さＬの線４上の２点２ａ及び２ｂを結び直線端縁５の方向に向かって凸状の抜き溝２に囲まれた舌状部３が成型されている紙折り補助具である。
【００２２】  又、図２において紙折り補助具１の底面と舌状部３の上面の間に紙折り対象の用紙６を挟みこむ際舌状部３と紙折り補助具１に角度θが付いているので、用紙６を滑らかに挟み込むことができる。
【００２３】  図３において紙折り補助具１の底面と舌状部３の上面の間に紙折り対象の用紙６を挟み凸状抜き溝２の末端の２点２ａ及び２ｂに用紙６の先端を当てる。
【００２４】  次に、図４のように用紙６が直線端縁５よりはみ出し部分を直線端縁５に沿って１８０度折り返す。
【００２５】  次に、図５において用紙６を複数回折り畳む方法を説明する。上記の説明により折り畳んだ用紙６の折り線６ａの側を紙折り補助具１の底面と舌状部３の上面の間に挟み込み、凸状溝２の末端の２点２ａ及び２ｂに用紙６の折り線６ａを当てて、用紙６のはみ出し部分を直線端縁５に沿って１８０度折り返す。この作業を繰り返すことにより、用紙を複数回所定の幅に正確に折りたたむことができる。
【００２６】  本発明の上記実施例では、直線端縁５から所定の折り幅に略相当する長さＬの線４上に凸状抜き溝を１箇所設けて説明したが、複数箇所設けても良い。又、直線端縁５は、紙折り補助具の一方の縁に設けたが、複数の縁に直線端縁を設けるとともに、複数の凸状抜き溝を設ければ１つの紙折り補助具で折り巾の違う複数の紙折りができる。さらに、紙折り補助具は、薄板状のプレートで説明したが、直線端縁部を薄く成形すれば板厚は厚くてもよく、抜き溝の内側に形成された舌状部の表面との間に角度を付ける方法として、舌状部を折り曲げた形態で説明したが板厚を厚くした場合は、舌状部の付け根から舌状部の周縁に向けて傾斜をつけても良い。
【符号の説明】１  紙折り補助具
２  抜き溝
３  舌状部
５  直線端縁
６  用紙
【図１】
2013056769.tif 000003
【図２】
2013056769.tif 000004
【図３】
2013056769.tif 000005
【図４】
2013056769.tif 000006
【図５】
2013056769.tif 000007